(57)【要約】【課題】安全であり、かつリサイクルが容易で、しかも綴じ合わせ部分の体裁が良い中綴本を提供すること。【解決手段】印刷されて折り畳まれた各ページが背の部分で互いに糊で貼り合わされてなる糊付け折丁を作製する印刷工程と、前記糊付け折丁の背の部分に糊をスポットで塗布しつつ複数の折丁を丁合して糊で綴じ合わせる製本工程とを含むことを特徴とする中綴本の製造方法。また、印刷されて折り畳まれた各ページが背の何れかの側で互いに糊で貼り合わせてなる糊付け折丁を作製する印刷工程と、前記糊付け折丁の背の折目の何れかの側に糊をスポットで塗布しつつ複数の折丁を丁合して糊で綴じ合わせる製本工程とを含むことを特徴とする中綴本の製造方法。また、各ページが印刷されて折り畳まれた折丁を作製する印刷工程と、複数の折丁を丁合して背に糊をスポットで注入して綴じ合わせる製本工程とを含むことを特徴とする中綴本の製造方法。【選択図】なし【特許請求の範囲】
【請求項１】
印刷されて折り畳まれた各ページが背の部分で互いに糊で貼り合わされてなる糊付け折丁を作製する印刷工程と、前記糊付け折丁の背の部分に糊をスポットで塗布しつつ複数の折丁を丁合して糊で綴じ合わせる製本工程とを含むことを特徴とする中綴本の製造方法。
【請求項２】
印刷されて折り畳まれた各ページが背の何れかの側で互いに糊で貼り合わせてなる糊付け折丁を作製する印刷工程と、前記糊付け折丁の背の折目の何れかの側に糊をスポットで塗布しつつ複数の折丁を丁合して糊で綴じ合わせる製本工程とを含むことを特徴とする中綴本の製造方法。
【請求項３】
各ページが印刷されて折り畳まれた折丁を作製する印刷工程と、複数の折丁を丁合して背に糊をスポットで注入して綴じ合わせる製本工程とを含むことを特徴とする中綴本の製造方法。
【請求項４】
印刷されて折り畳まれた各ページが背の部分で互いに糊で貼り合わせられてなる複数の糊付け折丁からなり、各折丁がその背の部分にスポットで塗布された糊で互いに貼り合わせられることで綴じ合わされ、天地及び小口の三方を断裁されてなることを特徴とする中綴本。
【請求項５】
印刷されて折り畳まれた各ページが背の折目の何れかの側で互いに貼り合わせられてなる複数の糊付け折丁からなり、各折丁がその背の折目の何れかの側にスポットで塗布された糊で互いに貼り合わせられてなることで綴じ合わされ、天地及び小口の三方を断裁されてなることを特徴とする中綴本。
【請求項６】
各ページが印刷されて折り畳まれた複数の折丁からなり、各折丁がその背にスポットで注入された糊で互いに貼り合わされてなることで綴じ合わされ、天地及び小口の三方を断裁されてなることを特徴とする中綴本。
【発明の詳細な説明】
【０００１】
【発明の属する技術分野】
本発明は、複数の折丁を丁合して背を綴じ合わる様式の中綴本の改良技術に係わり、詳しくは針金を使用しない中綴本の製造方法及びそれによって製造された中綴本に関するものである。
【０００２】
【従来の技術】
従来、複数の折丁を丁合して背を綴じ合わせる様式の中綴本には、その綴じ合わせを針金で行なっているものがある。
【０００３】
背を針金で綴じ合わせる中綴本は、一般に、印刷工程、丁合工程、針金綴工程、断裁工程を経て製造される。丁合工程、針金綴工程、断裁工程を合わせて製本工程とも呼ぶ。
【０００４】
印刷工程では、各ページが印刷されて折り畳まれた折丁を作製する。
【０００５】
丁合工程では、例えば図９に示すように、中綴本を構成する複数の折丁Ｓ１〜Ｓ５が、各フィーダー３０のボックス３４にそれぞれ束状で供給される。そして、各フィーダーではボックス３４の下から折丁を１つずつ引き出し、ソード３３の上に落下させる。最初のフィーダー３０のソード３３の上に載った折丁Ｓ１は、走行するギャザリングチェーン４０の送り爪４１により押されてギャザリングチェーン４０上に落下する。そして、次のフィーダー３０では、ソード３３の上に載った折丁Ｓ２が送り爪４１により押されて先の折丁Ｓ１の上に重なるように落下する。そして、これが繰り返されて所定部数の折丁Ｓ１〜Ｓ５が丁合される。
【０００６】
針金綴工程では、例えば図１０に示すように、丁合された複数の折丁Ｔの背側から針金４２を突き刺し、突き刺した針金４２の先端を折り曲げることにより、丁合された複数の折丁Ｔを綴じ合わせる。
【０００７】
断裁工程では、丁合され綴じ合わされた複数の折丁に対して、天地及び小口の三方を化粧断ちを行なう。
【０００８】
ところで、背を針金で綴じ合わせる中綴本は、読者が針金によって怪我をする可能性があり、また、針金と紙の分離が難しいためにリサイクルが行ない難いという問題がある。
【０００９】
このような問題を解決する中綴本の製造方法が、特開２０００−４３４４５号公報に開示されている。
【００１０】
特開２０００−４３４４５号公報は、その明細書の請求項１で、「印刷されて折り畳まれた各ページが背の部分で互いに糊で貼り合わせられてなる糊付け折丁を作製する印刷工程と、前記糊付け折丁の背の部分に糊を塗布しつつ複数の折丁を丁合して糊で綴じ合わせる製本工程を含むことを特徴とする中綴本の製造方法」を開示している。
【００１１】
この特開２０００−４３４４５号公報の請求項１に記載の製本工程を、その明細書の段落［００２１］に倣って、図１１を参照しながら、説明すると、以下のようになる。
【００１２】
綴じ合わされる折丁Ｓ１〜Ｓ５は各フィーダー３０のボックス３４にそれぞれ束状で供給される。そして、各フィーダー３０ではボックス３４の下から折丁をサッカーにより１つずつ吸引してアッパードラムで引き出し、オープニングドラム及びラップドラムによりソード３３の上に落下させる。最初のフィーダー３０のソード３３の上に載った折丁Ｓ１は、走行するギャザリングチェーン４０の送り爪４１により押されてギャザリングチェーン４０上に落下し、そのフィーダー３０の糊付けノズル３１により背の部分に糊付けされる。そして、次のフィーダー３０では、ソード３３の上に載った折丁Ｓ２が送り爪４１により押されて先の折丁Ｓ１の上に重なるように落下した後、プレスローラ３２でプレスすることによって先の折丁Ｓ１と接着され、引き続いてそのフィーダー３０の糊付けノズル３１により背の部分に糊付けされる。そして、これが繰り返されて所定部数の折丁Ｓ１〜Ｓ５が丁合されて糊で綴じ合わされる。
このように丁合を綴じ終えた後は三方裁断機により化粧断ちを行なってから、所定部数をまとめて結束が行なわれる。
【００１３】
ところが、糊付けノズル３１により折丁Ｓ１の背の部分に糊付けすると、折丁Ｓ１の背の折目の両側にも糊が付くために、折丁Ｓ２が折丁Ｓ１の上に重なるように落下したとき、図１２に示すように、塗布された糊による抵抗のために、折丁Ｓ１の背ｂ１の折目と折丁Ｓ２の背ｂ２の折目との間に隙間ｄが生じ、折丁Ｓ２をプレスローラ３２でプレスすると、図１３に示すように、折丁Ｓ２の背ｂ２の折目の部分が潰れて接着してしまう恐れがある。そして、同様のことが繰り返され、出来上がった中綴本の綴じ合わせ部分が、非常に見苦しいものとなる恐れがある。
【００１４】
また特開２０００−４３４４５号公報は、その明細書の請求項５で、「印刷されて折り畳まれた各ページが背の折目の何れかの側で互いに糊で貼り合わせられてなる複数の糊付け折丁を作製する印刷工程と、前記糊付け折丁の背の折目の何れかの側に糊を塗布しつつ複数の折丁を丁合して糊で綴じ合わせる製本工程を含むことを特徴とする中綴本の製造方法」を開示している。
【００１５】
この特開２０００−４３４４５号公報の請求項５に記載の製本工程は、折丁の背の折目の何れかの側に糊を塗布しつつ複数の折丁を丁合して糊で綴じ合わせるので、折丁Ｓ２が折丁Ｓ１の上に重なるように落下したとき、図１２に示すように、塗布された糊による抵抗のために、折丁Ｓ１の背ｂ１の折目と折丁Ｓ２の背ｂ２の折目との間に隙間ｄが生じ、折丁Ｓ２をプレスローラ３２でプレスすると、図１４に示すように、折丁Ｓ１の背ｂ１の折目と折丁Ｓ２の背ｂ２の折目とがずれて接着してしまう恐れがある。そして、同様のことが繰り返され、出来上がった中綴本の綴じ合わせ部分が、非常に見苦しいものとなる恐れがある。
【００１６】
【特許文献１】
特開２０００−４３４４５号公報
【００１７】
【発明が解決しようとする課題】
本発明は係る従来技術の問題に鑑みてなされたもので、安全であり、かつリサイクルが容易で、しかも綴じ合わせ部分の体裁が良い中綴本を提供することを課題とする。
【００１８】
【課題を解決するための手段】
本発明において上記の課題を達成するために、まず請求項１の発明では、印刷されて折り畳まれた各ページが背の部分で互いに糊で貼り合わされてなる糊付け折丁を作製する印刷工程と、前記糊付け折丁の背の部分に糊をスポットで塗布しつつ複数の折丁を丁合して糊で綴じ合わせる製本工程とを含むことを特徴とする中綴本の製造方法としたものである。
【００１９】
また請求項２の発明では、印刷されて折り畳まれた各ページが背の何れかの側で互いに糊で貼り合わせてなる糊付け折丁を作製する印刷工程と、前記糊付け折丁の背の折目の何れかの側に糊をスポットで塗布しつつ複数の折丁を丁合して糊で綴じ合わせる製本工程とを含むことを特徴とする中綴本の製造方法としたものである。
【００２０】
また請求項３の発明では、各ページが印刷されて折り畳まれた折丁を作製する印刷工程と、複数の折丁を丁合して背に糊をスポットで注入して綴じ合わせる製本工程とを含むことを特徴とする中綴本の製造方法としたものである。
【００２１】
また請求項４の発明では、印刷されて折り畳まれた各ページが背の部分で互いに糊で貼り合わせられてなる複数の糊付け折丁からなり、各折丁がその背の部分にスポットで塗布された糊で互いに貼り合わせられることで綴じ合わされ、天地及び小口の三方を断裁されてなることを特徴とする中綴本としたものである。
【００２２】
また請求項５の発明では、印刷されて折り畳まれた各ページが背の折目の何れかの側で互いに貼り合わせられてなる複数の糊付け折丁からなり、各折丁がその背の折目の何れかの側にスポットで塗布された糊で互いに貼り合わせられてなることで綴じ合わされ、天地及び小口の三方を断裁されてなることを特徴とする中綴本としたものである。
【００２３】
また請求項６の発明では、各ページが印刷されて折り畳まれた複数の折丁からなり、各折丁がその背にスポットで注入された糊で互いに貼り合わされてなることで綴じ合わされ、天地及び小口の三方を断裁されてなることを特徴とする中綴本としたものである。
【００２４】
【発明の実施の形態】
以下に、本発明の実施形態を説明する。
【００２５】
１．請求項１に係る発明の実施形態
本願の請求項１に係る発明は、印刷されて折り畳まれた各ページが背の部分で互いに糊で貼り合わされてなる糊付け折丁を作製する印刷工程と、前記糊付け折丁の背の部分に糊をスポットで塗布しつつ複数の折丁を丁合して糊で綴じ合わせる製本工程とを含むことを特徴とする中綴本の製造方法である。
【００２６】
折丁の背の部分に糊をスポットで塗布するとは、図１に例示するように、折丁の背の部分全体に糊を塗布することはせず、折丁の背の部分において、１つ又は複数の箇所（スポット）のみに糊を塗布することである。図１の例では、ｃ１とｃ２との２箇所に糊が塗布されている。
【００２７】
折丁の背の部分に糊をスポットで塗布する方法として、例えば、図１１の製本ラインで、折丁の背の部分における特定の箇所が、糊付けノズル３１の前を通過したときのみ、その糊付けノズル３１が、その箇所に糊を塗布するものが挙げられる。
【００２８】
折丁の背の部分に糊をスポットで塗布する他の方法として、例えば、図１１の製本ラインで、糊付けノズル３１を廃し、代りに図２に例示する糊塗布装置を設置しても良い。図２に例示する糊塗布装置は、糊２を入れる糊壷１と、壷ローラー３と、凸部５を有する塗布ローラー４とを備える。糊壷１に入っている糊２は、壷ローラー３を介して、塗布ローラー４に供給される。そして、折丁Ｓの背ｂの部分において、塗布ローラー４の凸部５が接した箇所のみ、糊が塗布される。
【００２９】
本願請求項１に係る発明の製本工程では、折丁の背の部分に糊をスポットで塗布するので、折丁Ｓｉ＋１（ｉは１以上の整数）が折丁Ｓｉの上に重なるように落下したとき、図３に示すように、塗布された糊による抵抗があっても、背全体に糊を塗布した場合よりは小さくなり、折丁Ｓｉ＋１の自重だけで、折丁Ｓｉ＋１の背ｂｉ＋１の折目と折丁Ｓｉの背ｂｉの折目とが隙間無く接するようになる。その結果、中綴本の綴じ合わせ部分は、体裁良く仕上がる。
【００３０】
２．本願の請求項２に係る発明の実施形態
本願の請求項２に係る発明は、印刷されて折り畳まれた各ページが背の何れかの側で互いに糊で貼り合わせてなる糊付け折丁を作製する印刷工程と、前記糊付け折丁の背の折目の何れかの側に糊をスポットで塗布しつつ複数の折丁を丁合して糊で綴じ合わせる製本工程とを含むことを特徴とする中綴本の製造方法である。
【００３１】
折丁の背の折目の何れかの側に糊をスポットで塗布するとは、図４に例示するように、折丁の背の折目の何れかの側全体に糊を塗布することはせず、折丁の背の折目の何れかの側において、１つ又は複数の箇所（スポット）のみに糊を塗布することである。図４の例では、ｃ３とｃ４との２箇所に糊が塗布されている。
【００３２】
折丁の背の部分に糊をスポットで塗布する方法として、例えば、図１１の製本ラインで、折丁の背の部分に向けて設置した糊付けノズル３１を廃し、代りに、図５に示すように、折丁の背の折目の何れかの側に向けて糊付けノズル６を設置し、折丁の背の折目の何れかの側における特定の箇所が、糊付けノズル６の前を通過したときのみ、その糊付けノズル６が、その箇所に糊を塗布するものが挙げられる。
【００３３】
折丁の背の部分に糊をスポットで塗布する他の方法として、例えば、図１１の製本ラインで、糊付けノズル３１を廃し、代りに図６に例示する糊塗布装置を設置しても良い。図６に例示する糊塗布装置は、糊１２を入れる糊壷１１と、壷ローラー１３と、凸部１５を有する塗布ローラー１４とを備える。糊壷１１に入っている糊１２は、壷ローラー１３を介して、塗布ローラー１４に供給される。そして、折丁Ｓの背ｂの折目の何れかの側において、塗布ローラー１４の凸部１５が接した箇所のみ、糊が塗布される。
【００３４】
本願の請求項２に係る発明の製本工程でも、折丁の背の折目の何れかの側に糊をスポットで塗布するので、折丁Ｓｉ＋１（ｉは１以上の整数）が折丁Ｓｉの上に重なるように落下したとき、図３に示すように、塗布された糊による抵抗があっても、背全体に糊を塗布した場合よりは小さくなり、折丁Ｓｉ＋１の自重だけで、折丁Ｓｉ＋１の背ｂｉ＋１の折目と折丁Ｓｉの背ｂｉの折目とが隙間無く接するようになる。その結果、中綴本の綴じ合わせ部分は、体裁良く仕上がる。
【００３５】
３．本願の請求項３に係る発明の実施形態
本願の請求項３に係る発明は、背を針金で綴じ合わせる従来の中綴本の製造方法の改良であって、各ページが印刷されて折り畳まれた折丁を作製する印刷工程と、複数の折丁を丁合して背に糊をスポットで注入して綴じ合わせる製本工程とを含むことを特徴とする中綴本の製造方法である。
【００３６】
丁合された複数の折丁の背に糊をスポットで注入して綴じ合わせる方法としては、例えば、図７に例示するように、丁合された複数の折丁の背に対して、１つ又は複数の箇所（スポット）に、糊注入針２０を刺し、図８に例示するように、穴２１から糊を噴出させることにより、丁合された複数の折丁の背に糊を注入し、互いに接する折丁同士、及び互いに接するページ同士を糊で貼り合わせることで、丁合された複数の折丁の背を綴じ合わせるものが挙げられる。重ね合わせた折丁間の隙間への糊の注入を確実に行なえるようにするために、糊注入前に、糊注入針とほぼ同形状の空気注入針を用い、一度空気を吹き込み、折丁間の隙間を広げてから糊注入を行なうとより確実に糊注入が行なえる。
【００３７】
本願の請求項３に係る発明では、丁合は、背を針金で綴じ合わせる従来の中綴本と同様にして行われるので、丁合された複数の折丁において、隣合う折丁の背の折目同士が、図３に示すように、隙間無く接する。その結果、中綴本の綴じ合わせ部分は、体裁良く仕上がる。
【００３８】
【発明の効果】
以上、本願の請求項１〜３に係る発明は、安全であり、かつリサイクルが容易で、しかも綴じ合わせ部分の体裁が良い中綴本を製造できるという効果がある。特に請求項３の中綴本の製造方法によれば、一枚一枚折丁の背に糊を塗布する必要が無いため、効率的に中綴本の製造が行なえるという効果がある。
【００３９】
また、本願の請求項４〜６に係る発明は、それぞれ本願の請求項１〜３に係る発明により製造されるので、安全であり、かつリサイクルが容易で、しかも綴じ合わせ部分の体裁が良い中綴本であるという効果がある。
【００４０】
また、本願の請求項２に係る発明は、片側を完全に見開き状態にすることができる中綴本を製造できるという効果もある。
【００４１】
また、本願の請求項５に係る発明は、本願の請求項２に係る発明により製造されるので、片側を完全に見開き状態にすることができる中綴本であるという効果もある。
【図面の簡単な説明】
【図１】背の部分に糊をスポットで塗布した折丁を例示する図。
【図２】折丁の背の部分に糊をスポットで塗布する糊塗布装置を例示する図。
【図３】折丁の背の部分または折丁の背の折目の何れかの側に糊をスポットで塗布することによる効果を説明する図。
【図４】背の折目の何れかの側に糊をスポットで塗布した折丁を例示する図。
【図５】（Ａ）は、折丁の背の折目の何れかの側に向けて糊付けノズルを設置した製本ラインを側面から示す概略図。（Ｂ）は、折丁の背の折目の何れかの側に向けて糊付けノズルを設置した製本ラインを上面から示す概略図。
【図６】（Ａ）は、折丁の背の折目の何れかの側に糊をスポットで塗布する塗布装置の例を設置した製本ラインを側面から示す概略図。（Ｂ）は、折丁の背の折目の何れかの側に糊をスポットで塗布する塗布装置の例を設置した製本ラインを上面から示す概略図。
【図７】丁合された複数の折丁の背に糊をスポットで注入する例を説明する図。
【図８】丁合された複数の折丁の背に糊注入針を刺したときの様子を説明する図。
【図９】背を針金で綴じ合わせる従来の中綴本の丁合工程を説明する図。
【図１０】背を針金で綴じ合わせる従来の中綴本の針金綴工程を説明する図。
【図１１】特開２０００−４３４４５号公報で開示された中綴本の製本ラインの概略図。
【図１２】特開２０００−４３４４５号公報で開示された製本工程の問題を説明する第１の図。
【図１３】特開２０００−４３４４５号公報で開示された製本工程の問題を説明する第２の図。
【図１４】特開２０００−４３４４５号公報で開示された製本工程の問題を説明する第３の図。
【符号の説明】
１…糊壷
２…糊
３…壷ローラー
４…塗布ローラー
５…凸部
６…糊付けノズル
１１…糊壷
１２…糊
１３…壷ローラー
１４…塗布ローラー
１５…凸部
２０…糊注入針
２１…穴
３０…フィーダー
３１…糊付けノズル
３２…プレスローラ
３３…ソード
３４…ボックス
４０…ギャザリングチェーン
４１…送り爪
４２…針金
Ｓ…折丁
Ｓ１…折丁
Ｓ２…折丁
Ｓ３…折丁
Ｓ４…折丁
Ｓ５…折丁
Ｓｉ…折丁
Ｓｉ＋１…折丁
Ｔ…丁合された複数の折丁
ｂ…背
ｂ１…背
ｂ２…背
ｂｉ…背
ｂｉ＋１…背
ｃ１…糊が塗布された箇所
ｃ２…糊が塗布された箇所
ｃ３…糊が塗布された箇所
ｃ４…糊が塗布された箇所
ｄ…隙間
【図１】
2004130586.tif 000002
【図２】
2004130586.tif 000003
【図３】
2004130586.tif 000004
【図４】
2004130586.tif 000005
【図５】
2004130586.tif 000006
【図６】
2004130586.tif 000007
【図７】
2004130586.tif 000008
【図８】
2004130586.tif 000009
【図９】
2004130586.tif 000010
【図１０】
2004130586.tif 000011
【図１１】
2004130586.tif 000012
【図１２】
2004130586.tif 000013
【図１３】
2004130586.tif 000014
【図１４】
2004130586.tif 000015